(57)【要約】【課題】無線ホットスポット装置の改良を課題とする。【解決手段】本発明の無線ホットスポット装置は、電池に接続する回路基板を収容する本体を含む。該回路基板は、第２の制御手段に接続される第１の制御手段を含む。該第２の制御手段は無線伝送手段に接続され、該第１の制御手段は外部電源の入力電圧及び該電池電力の出力電圧を制御するために用いられ、また、該第１の制御手段は該第２の制御手段の起動を行う。該第２の制御手段は、無線通信ユニットを通じて無線アクセスを行い、或いは、イーサネットを経由してルータモジュール、又は、ネットワークサービスモジュールにアクセスしてこれらを起動し、これを介して随時ＬＡＮ、或いは、無線ＬＡＮを経由してデータにアクセスすることを可能とする。更に、本発明の無線ホットスポット装置は、他の電子機器への電力補給も可能とする。【選択図】図１
2014087049.tif 000002
【特許請求の範囲】
【請求項１】
電池を収容するハウジングを備える本体と、
前記ハウジング内に収容され、且つ前記電池に接続される回路基板とを含み、
前記回路基板は、
第１のコネクタ、及び、前記電池に接続されるダウントランスと、
前記電池、及び、第２のコネクタに接続されるアップトランスと、
前記ダウントランスとアップトランスと切替スイッチ、及び、ＬＥＤ表示器に接続され、前記ダウントランスを経由する外部電源の電圧を前記電池電力の電圧に適するまで降下、及び、前記アップトランスを経由する電池電力の電圧を所定電圧まで上昇するよう制御する第１の制御手段と、
前記第１の制御手段と無線伝送手段に接続され、接続インターフェースとイーサネットインターフェースとネットワークとクラウドとデータの伝送アクセスを制御するための複数のネットワーク、及び、ファイルアクセスをサポートするモジュールとを含む第２の制御手段と、
前記イーサネットインターフェースに接続されるイーサネットコネクタと、
前記電池、及び、前記第２の制御手段に接続され、前記電池の電力を前記第２の制御手段と前記無線伝送手段に供給する調節器と、
前記第２の制御手段の接続インターフェースとフラッシュメモリと第３のコネクタに接続され、前記フラッシュメモリに接続するコントローラと前記第３のコネクタとに接続されるスイッチングハブとを備えるコネクタユニットと、を含むこと、
を特徴とする無線ホットスポット装置。
【請求項２】
前記本体は、前記ハウジングを区画するため、下部筐体に対向して設けられた上部筐体を備え、前記上部筐体は、頂壁と前記頂壁の外周に沿って垂直に延伸する複数の側壁を有し、前記頂壁には、前記切替スイッチに対応するボタン、及び、前記ＬＥＤ表示器に対応する複数の透光部が設けられ、前記複数の側壁のいずれかの側壁には、前記第１、第２、第３のコネクタ、及び、前記イーサネットコネクタに各々対応する複数のスルーホールが設けられることを特徴とする請求項１に記載の無線ホットスポット装置。
【請求項３】
前記第１、第２、及び、第３のコネクタは、ＵＳＢコネクタであることを特徴とする請求項１に記載の無線ホットスポット装置。
【請求項４】
前記コネクタユニットがＵＳＢコネクタユニットであり、前記スイッチングハブがＵＳＢスイッチングハブであり、前記コントローラがＵＳＢコントローラであり、前記接続インターフェースがＵＳＢ接続インターフェースであることを特徴とする請求項１に記載の無線ホットスポット装置。
【請求項５】
前記第２のコネクタが被充電装置に接続されることを特徴とする請求項１に記載の無線ホットスポット装置。
【請求項６】
前記第３のコネクタが外部ストレージデバイスに接続され、前記第２の制御手段が前記外部ストレージデバイスを検出し、これにより前記外部ストレージデバイスは拡張アクセス装置となることを特徴とする請求項１に記載の無線ホットスポット装置。
【請求項７】
前記外部ストレージデバイスは、ハードディスク（ＨＤＤ）、或いは、カードリーダ（Card Reader）、又は、ＵＳＢペンドライバー（Pen driver）の少なくとも１種を含むことを特徴とする請求項１に記載の無線ホットスポット装置。
【請求項８】
前記複数のネットワーク、及び、ファイルアクセスをサポートするモジュールは、サーバーモジュールとルータモジュールとクラウドストレージ管理モジュールとファイルシステムモジュールとセキュア・ソケット・レイヤープロトコルモジュール（ＳＳＬ）と、を含むことを特徴とする請求項１に記載の無線ホットスポット装置。
【請求項９】
前記第１の制御手段、及び、前記第２の制御手段は、バスを通じて接続されることを特徴とする請求項１に記載の無線ホットスポット装置。
【請求項１０】
前記無線伝送手段は、アンテナを備えることを特徴とする請求項１に記載の無線ホットスポット装置。
【請求項１１】
前記回路基板は、前記スイッチングハブに接続され、アンテナを備える３Ｇ／４Ｇ無線通信ユニットを更に含むことを特徴とする請求項１０に記載の無線ホットスポット装置。
【発明の詳細な説明】
【技術分野】
【０００１】
本発明は、無線ホットスポット装置の改良に関り、特に、持ち運びに便利で、ＬＡＮ或いは無線ＬＡＮを通じてデータにアクセスできると共にアクセス設備を拡張でき、随時他の電子機器に電力を供給できる無線ホットスポット装置に関する。
【背景技術】
【０００２】
現在、例えばスマートフォンやタブレット型コンピュータ等といった各種ポータブル電子機器は、ますます高速化し、人間的な応用が求められ、機器の設計時に、ハイエンドプロセッサ及び多くのセンサー素子が設けられているが、これらの部品は作動時多くの電力を消費するため、これらの電子機器に随時電力を補給する必要が生じている。
【０００３】
現行のストレージデバイスはユーザがデータにアクセスするために使用され、そのうち最もよく見られるのは、携帯電話のモバイルバッテリー及びNand型フラッシュメモリー及びハードディスクドライブ等である。モバイルバッテリーに個人無線サーバー及び大容量のストレージデバイスが加わるため、体積が大きくなり携帯に不便が生じていた。
【０００４】
近年、ユニバーサル・シリアル・バス（Universal Serial Bus、ＵＳＢ）インターフェースとフラッシュメモリ（Flash Memory）の普及に伴い、容量が大きく、両立性も良好で、持ち運びの利便性を兼ね備えた代替品であるＵＳＢフラッシュディスク（ＵＳＢ Flash Disk）が生まれ、異なるコンピュータ及びストレージデバイスの間におけるデータの送信と転送に便利となった。
【０００５】
更にまた、ある業者は、外付けハードディスクのケースにハードディスクドライブ或いはＵＳＢフラッシュディスクを組み込んでポータブルハードディスクとし、またユニバーサル・シリアル・バス（Universal Serial Bus、ＵＳＢ）インターフェースへの接続を通じて該モバイルハードディスクのデータにアクセスし、またユニバーサル・シリアル・バス（Universal Serial Bus、ＵＳＢ）インターフェースを通じてデータの転送を行うようにしている。以上は有線を通じてデータを転送している。
【０００６】
しかしながら、もしもユーザが無線ＬＡＮの方式でデータのコピー及びデータの伝送を行う時には、同時に無線ＬＡＮカードとポータブルストレージデバイスとモバイルバッテリーを持ち出す必要があり、且つポータブルストレージデバイス自体は給電ユニットを備えず、該モバイルバッテリーを通じて電力を供給することでのみ、正常な操作ができるため、非常に不便であり、さらにまた、ポータブルストレージデバイスは大きな保存容量を持っているが、相対的にその重量及び体積が重いため、持ち運びに適していない。
【発明の概要】
【発明が解決しようとする課題】
【０００７】
本発明の主な目的は、モバイルデバイスに充電しながら別のモバイルデバイスがインターネット或いは無線ＬＡＮ方式を通じてデータにアクセスし得る無線ホットスポット装置を提供することである。
【０００８】
本発明の別の目的は、サーバーサイド及びクラウドにアクセスできる無線ホットスポット装置を提供することである。
【０００９】
本発明の別の目的は、ルータとすることのできる無線ホットスポット装置を提供することである。
【００１０】
本発明の別の目的は、ストレージデバイスとしてフラッシュメモリ（Flash Memory）を内蔵し、またネットワークストリームを経由して該フラッシュメモリにアクセスできる無線ホットスポット装置を提供することである。
【００１１】
本発明の別の目的は、ハードディスク（ＨＤＤ）或いはカードリーダ（Card Reader）又はペンドライバー（Pen driver）に接続することにより外部拡張アクセス装置となり、またネットワークストリームを経由して該外部拡張アクセス装置にアクセスできる無線ホットスポット装置を提供することである。
【課題を解決するための手段】
【００１２】
上記目的を達成するため、本発明に係る無線ホットスポット装置は、電池を収容するハウジングを備える本体と、該ハウジング内に収容され且つ該電池に接続する回路基板とを含む。該回路基板は、第１のコネクタ及び該電池に接続されるダウントランスと、該電池及び第２のコネクタに接続されるアップトランスと、該ダウントランスとアップトランスと切替スイッチ及びＬＥＤ表示器に接続され、該ダウントランスを経由する外部電源の電圧を該電池電力の電圧に適するまで降下、及び該アップトランスを経由する電池電力の電圧を所定電圧まで上昇するよう制御する第１の制御手段と、該第１の制御手段と無線伝送手段に接続され、接続インターフェースとイーサネット（登録商標）インターフェースとネットワークとクラウド及びデータの伝送アクセスを制御するための複数のネットワーク及びファイルアクセスをサポートするモジュールとを含む第２の制御手段と、該イーサネットインターフェースに接続されるイーサネットコネクタと、該電池及び該第２の制御手段に接続され、該電池の電力を第２の制御手段と該無線伝送手段に供給する調節器と、該第２の制御手段の接続インターフェース及びフラッシュメモリと第３のコネクタに接続され、該フラッシュメモリに接続するコントローラと該第３のコネクタとに接続されるスイッチングハブとを備えるコネクタユニットと、を含む。
【００１３】
前記本体は、該ハウジングを区画するため、下部筐体に対向して設けられる上部筐体を備える。該上部筐体は、頂壁と該頂壁の外周に沿って垂直に延伸する複数の側壁を有する。該頂壁には、該切替スイッチに対応するボタン及び該ＬＥＤ表示器に対応する複数の透光部が設けられる。該複数の側壁のいずれかの側壁には、該第１、第２、第３のコネクタ及び該イーサネットコネクタに各々対応する複数のスルーホールが設けられる。
【００１４】
好ましい実施例において、前記第１、第２及び第３のコネクタは、ＵＳＢコネクタである。
好ましい実施例において、該コネクタユニットはＵＳＢコネクタユニットであり、該スイッチングハブはＵＳＢスイッチングハブであり、該コントローラはＵＳＢコントローラであり、該接続インターフェースはＵＳＢ接続インターフェースである。
前記第２のコネクタが被充電装置に接続されることで、該被充電装置が充電される。
前記第３のコネクタが外部ストレージデバイスに接続され、該第２の制御手段が該外部ストレージデバイスを検出し、これにより該外部ストレージデバイスは拡張アクセス装置となる。
【００１５】
前記外部ストレージデバイスは、通常、ハードディスク（ＨＤＤ）或いはカードリーダ（Card Reader）又はＵＳＢペンドライバー（Pen driver）の少なくとも１種を含むが、必ずしもこれに限定されない。
好ましい実施例において、前記複数のネットワーク及びファイルアクセスをサポートするモジュールは、サーバーモジュールとルータモジュールとクラウドストレージ管理モジュールとファイルシステムモジュールとセキュア・ソケット・レイヤープロトコルモジュール（ＳＳＬ）と、を含む。
【００１６】
好ましい実施例において、前記第１の制御手段及び該第２の制御手段は、バスを通じて接続される。
好ましい実施例において、前記無線伝送手段はアンテナを備える。
好ましい実施例において、前記回路基板は、前記スイッチングハブに接続され、アンテナを備える３Ｇ／４Ｇ無線通信ユニットを更に含む。
【発明の効果】
【００１７】
本発明は、上記のような構成を有することにより、持ち運びに便利で、ＬＡＮ或いは無線ＬＡＮを通じてデータにアクセスできると共に、アクセス設備を拡張でき、随時他の電子機器に電力を供給できる無線ホットスポット装置を提供し得るものである。
【図面の簡単な説明】
【００１８】
【図１】本発明に係る無線ホットスポット装置の一実施例の立体分解図である。
【図２】図１に示した無線ホットスポット装置の立体組立図である。
【図３】図１に示した無線ホットスポット装置の側面断面図である。
【図４Ａ】本発明に係る無線ホットスポット装置に設けられる回路基板の一実施例を示す回路ブロック図である。
【図４Ｂ】図４Ａに示した回路基板に外部電源及び被充電装置と外部ストレージデバイスを接続したブロック図である。
【図５】図４Ａに示した回路基板における第２の制御手段のブロック図である。
【図６】図４Ａに示した回路基板における無線伝送手段のブロック図である。
【図７】図４Ａに示した回路基板に更に３Ｇ／４Ｇ無線通信ユニットを設けたブロック図である。
【図８】本発明に係る無線ホットスポット装置をリモート接続に応用した状態を示す図である。
【図９】本発明に係る無線ホットスポット装置をローカル接続に応用した状態を示す図である。
【発明を実施するための形態】
【００１９】
本発明の上記目的及びその構造と機能上の特徴について、添付図面に示した好ましい実施例に基いて説明する。
【実施例】
【００２０】
本発明の無線ホットスポット装置の改良を示す図１、図２及び図３を参照しながら説明する。図に示すように、本発明の無線ホットスポット装置は、下部筐体１２に対向して設けられる上部筐体１１を備え、該上部筐体１１と該下部筐体１２でハウジング１８を区画する本体１０と、回路基板３０に接続されて該ハウジング１８内に設けられる電池２０とを含む。
【００２１】
該電池２０は電力を蓄積するため外部電源（Ｖout）に接続され、また蓄積する電力を電池電力（Ｖbat）として出力でき、該電池電力の出力は例えば直流３．６Ｖ〜５Ｖであるがこれに限られない。電池２０は、例えばリチウムイオン電池、鉄系リチウム電池、鉛酸電池或いはリチウムマンガン電池であるがこれに限らない。
【００２２】
図４Ａに示すように、該回路基板３０は、第１のコネクタ３０１及び該電池２０に接続されるダウントランス３０２と、該電池２０及び第２のコネクタ３０７に接続されるアップトランス３０３と、該ダウントランス３０２とアップトランス３０３と切替スイッチ３０６及びＬＥＤ表示器３０８に接続される第１の制御手段３０５とを含む。該外部電源（Ｖout）が第１のコネクタ３０１から該ダウントランス３０２を通過する時、該第１の制御手段３０５が該ダウントランス３０２を制御して該外部電源の電圧を該電池２０電力の電圧に適するまで引き下げる。且つ該電池２０の電力が満充電した後、第１の制御手段３０５が外部電源（Ｖout）から該電池２０への充電を停止させ、該電池２０の過充電を防止し、また電池２０の電力が被充電装置に過度に出力されるのを防止する。そのほかに該電池２０電力（Ｖbat）が、該アップトランス３０３を経由して第２のコネクタ３０７へ出力した時、該第１の制御手段３０５が該アップトランス３０３を制御して電池電力（Ｖbat）の電圧を所定電圧にまで引き上げる。
【００２３】
第２の制御手段３１０が、バス３０９を通じて該第１の制御手段３０５と接続され、無線伝送手段３１１が該第２の制御手段３１０に接続され、該無線伝送手段３１１はアンテナ３１１１を備える。該第２の制御手段３１０は、接続インターフェース３１０１とイーサネットインターフェース３１０２とネットワークとクラウド及びデータの伝送アクセスを制御するための複数のネットワーク及びファイルアクセスをサポートするモジュール（図５）とを含む。イーサネットコネクタ３１２が、該イーサネットインターフェース３１０２に接続される。
【００２４】
調節器３１４が、該電池２０及び該第２の制御手段３１０に接続され、該電池電力（Ｖbat）が該調節器３１４を通じて安定した電圧の電池電力に形成され、第２の制御手段３１０と該無線伝送手段３１１での使用のために供給される。
【００２５】
コネクタユニット３１３が、該第２の制御手段３１０の接続インターフェース３１０１に接続される。該コネクタユニット３１３は、コントローラ３１３２及び該接続インターフェース３１０１に接続するスイッチングハブ３１３１を備える。本実施例において該コネクタユニット３１３は、好しくはＵＳＢコネクタユニットとし、該スイッチングハブ３１３１は好しくはＵＳＢスイッチングハブとし、該コントローラ３１３２は好しくはＵＳＢコントローラとし、該接続インターフェース３１０１は好しくはＵＳＢ接続インターフェースとする。
【００２６】
フラッシュメモリ３１６が該コントローラ３１３２に接続され、該コントローラ３１３２を介して該フラッシュメモリ３１６に入力したデータに基いて誤り検出符号（ＥＣＣ）或いは誤り訂正符号（ＥＤＣ）の生成を実行する。第３のコネクタ３１５が、該スイッチングハブ３１３１に接続される。
【００２７】
前記第１のコネクタ３０１は、例えばmini ＵＳＢコネクタであるがこれに限らない。該第２の及び第３のコネクタ３０７、３１５は例えば標準ＵＳＢコネクタ（図１及び２）であるがこれに限らない。ＵＳＢは、ＵＳＢ１．０、ＵＳＢ２．０及びＵＳＢ３．０転送プロトコルに適用されるものを広く指す。図４Ｂに示すように、該第１のコネクタ３０１は、この好ましい実施例において外部電源４０に接続されることで、該電池２０に充電する。該第２のコネクタ３０７は、この好ましい実施例において例えばスマートフォン或いはその他タブレットコンピュータのような被充電装置４１に接続される。該被充電装置４１が該第２のコネクタ３０７に接続されて電池２０の電力で充電されている時、第１の制御手段３０５は、該被充電装置４１が満充電状態になっているかどうかを検出し、満充電の状態になった場合、該電池２０から該被充電装置４１への充電を停止する。該第３のコネクタ３１５は、この好ましい実施例において外部ストレージデバイス４２に接続される。該外部ストレージデバイス４２が第３のコネクタ３１５に接続された時、該第２の制御手段３１０が該外部ストレージデバイス４２を検出し、該外部ストレージデバイス４２は拡張アクセス装置となる。該外部ストレージデバイス４２は、例えばハードディスク（ＨＤＤ）或いはカードリーダ（Card Reader）又はペンドライバー（Pen driver）の少なくとも１種を含むのが通常であるが、必ずしもこれに限定されない。
【００２８】
図５に示すように前記第２の制御手段３１０内の複数のネットワーク及びファイルアクセスをサポートするモジュールは、サーバーモジュール３１０３とルータモジュール３１０４とクラウドストレージ管理モジュール３１０５とファイルシステムモジュール３１０６とセキュア・ソケット・レイヤープロトコルモジュール（ＳＳＬ）３１０７とを更に含む。サーバーモジュール３０１３は、ウェブサーバー（Web server）とＦＴＰ、ＨＴＴＰ、ＳＦＴＰサーバー（ＦＴＰ、ＨＴＴＰ、ＳＦＴＰ server）とを含み、このサーバーモジュール３０１３を通じて本発明の無線ホットスポット装置をサーバーサイドとする。クライアントサイドが有線又は無線の方式を通じて本発明の無線ホットスポット装置に接続すると、クライアントサイドのブラウザ或いはＡＰＰアプリケーションプログラムを介してサーバーサイド（つまり無線ホットスポット装置）のコンテンツを閲覧或いはアクセスできる。これらのコンテンツには、テキストデータと図形データとマルチメディアデータ等とを含み、フラッシュメモリ３１６又は外部ストレージデバイス４２（図４Ｂ）に保存できる。ルータモジュール３１０４は、無線ホットスポット装置が２個以上の個別ネットワークに接続される装置である。該クラウドストレージ管理モジュール３１０５は、該クライアントサイドが該インターネットを通じてクライアントサイドのデータを該無線ホットスポット装置のフラッシュメモリ３１６或いは外部ストレージデバイス４２（図４Ｂ）にアップロードして保存することをサポートする。ファイルシステムモジュール３１０６は、該フラッシュメモリ３１６又は外部ストレージデバイス４２（図４Ｂ）のデータを管理する。該セキュア・ソケット・レイヤープロトコルモジュール３１０７は、インターネットにおいて暗号化転送を提供することで、通信の機密性と完全性が確保されると共にサーバーの身分を検証できる。
【００２９】
図６に示すように、前記無線伝送手段３１１は、Ｗｉ−Ｆｉモジュール３１１２と多入力多出力モジュール（Multi−input Multi−output；ＭＩＭＯ）３１１３と無線周波数モジュール（Radio Frequency；ＲＦ）３１１４とを含む。これらモジュールを通じて無線伝送プロトコルをサポートすると共に無線伝送品質を向上できる。そのほかにもメディアアクセス制御モジュール（Media Access Control；ＭＡＣ）３１１５を更に含み、メディアのアクセス制御アドレス用となる。メディアアクセス制御モジュール３１１５を通じてＭＡＣアドレスを通過するクライアントサイドをフィルタリングして、クライアントサイドが無線ＬＡＮにアクセスすることを容認又は拒否し、無線クライアントサイドのアクセス許可権を効果的に制御する。
【００３０】
更に図１〜３を参照しながら説明する。前記上部筐体１１は、頂壁１３と該頂壁１３の外周に沿って垂直に延伸する複数の側壁１４ａ〜１４ｄとを備える。該頂壁１３に該切替スイッチ３０６に対応するボタン１５及び該ＬＥＤ表示器３０８に対応する複数の透光部１６が設けられている。該複数の側壁１４ａ〜１４ｄのいずれかの側壁１４ａに該第１、第２、第３のコネクタ３０１、３０７、３０５及び該イーサネットコネクタ３１２に各々対応する複数のスルーホール１７ａ〜１７ｄが設けられる。
【００３１】
また、図７に示すように、該回路基板３０は、アンテナ３１７１を備える３Ｇ／４Ｇ無線通信ユニット３１７を更に含む。該３Ｇ／４Ｇ無線通信ユニット３１７が該スイッチングハブ３１３１に接続され、該３Ｇ／４Ｇ無線通信ユニット３１７を介して本発明の無線ホットスポット装置が３Ｇ／４Ｇの無線伝送プロトコルを適用することを容認する。
【００３２】
本発明の利用に関し、以下に例を挙げて本発明で提供するリモート接続及びローカル接続の実際の応用を説明する。
【００３３】
［リモート接続（Remote connect）］
図８と、図４Ａ、４Ｂ及び図５も参照しながら説明する。本発明の無線ホットスポット装置を該イーサネットコネクタ３１２を介してイーサネット回線４３に接続することで、広域通信網４４に接続する。例えばスマートフォンような被充電装置４１が、ケーブルを通じて該第２のコネクタ３０７に接続される。例えばポータブルハードディスクような外部ストレージデバイス４２が、ケーブルを通じて該第３のコネクタ３１５に接続される。切替スイッチ３０６をオンにした時、電池２０の電力が第１の制御手段３０５と第２の制御手段３１０と無線伝送手段３１１とＬＥＤ表示器３０８に供給されて、作動状態となる。第１の制御手段３０５は、該電池２０の電力を制御して第２のコネクタ３０７から該被充電装置４１に充電し、同時に該被充電装置４１が満充電の状態になっているかどうかを検出し、被充電装置４１が満充電状態になった場合、電池２０からの充電を停止する。更にまた、第１の制御手段３０５は、バス３０９を経由して該第２の制御手段３１０内のルータモジュール３１０４を起動するよう知らせる。リモート位置にある別のモバイルデバイス４６が無線ホットスポットを経由して広域通信網４４に繋がって本発明の無線ホットスポット装置に接続し、またモバイルデバイス４６内のブラウザ或いはＡＰＰアプリケーションプログラムの閲覧を通じて第２の制御手段３１０内のサーバーモジュール３１０３及びクラウドストレージ管理モジュール３１０５にリンクすることで、フラッシュメモリ３１６及び外部ストレージデバイス４２のコンテンツの閲覧又はアクセスが可能となる。
【００３４】
［ローカル接続（Local connect）］
図９と、図４Ａ、４Ｂ及び図６も一緒に参照ながら説明する。例えばスマートフォンような被充電装置４１が、ケーブルを通じて該第２のコネクタ３０７に接続される。例えばポータブルハードディスクような外部ストレージデバイス４２が、ケーブルを通じて該第３のコネクタ３１５に接続される。切替スイッチ３０６をオンにした時、電池２０の電力が第１の制御手段３０５と第２の制御手段３１０と無線伝送手段３１１とＬＥＤ表示器３０８に供給されて、作動状態となる。第１の制御手段３０５は、該電池２０の電力を制御して第２のコネクタ３０７から該被充電装置４１に充電し、同時に該被充電装置４１が満充電の状態になっているかどうかを検出し、被充電装置４１が満充電状態になった場合、電池２０からの充電を停止する。更にまた、第１の制御手段３０５は、バス３０９を経由して該第２の制御手段３１０内のルータモジュール３１０４を起動するよう知らせる。該第２の制御手段３１０が無線伝送手段３１１内のＷｉ−Ｆｉモジュール３１１２及び／或いは多入力多出力モジュール（Multi−input Multi−output；ＭＩＭＯ）３１１３及び／或いは無線周波数モジュール（Radio Frequency；ＲＦ）３１１４及び／或いはメディアアクセス制御モジュール（Media Access Control；ＭＡＣ）３１１５をオンにする。ローカル範囲内にある別のモバイルデバイス４７が例えばＷｉ−Ｆｉ信号のような無線信号によりアンテナ３１１１と無線伝送手段３１１を経由して無線接続し、またモバイルデバイス４７内のブラウザ或いはＡＰＰアプリケーションプログラムの閲覧を通じて第２の制御手段３１０内のサーバーモジュール３１０３及びクラウドストレージ管理モジュール３１０５にリンクすることで、フラッシュメモリ３１６及び外部ストレージデバイス４２のコンテンツの閲覧又はアクセスが可能となる。
【００３５】
本発明について、その実施形態に基づいて上記の通り開示したが、本発明はそのような具体例にのみ限定して狭義に解釈されるべきものではなく、当業者であれば本発明の趣旨の範囲内において種々の変更及び改変を行うことが可能であり、よって本発明の保護範囲は、後記の特許請求の範囲の記載に基づいて定められるべきものである。
【産業上の利用可能性】
【００３６】
上記の如く、本発明によるときは、持ち運びに便利で、ＬＡＮ或いは無線ＬＡＮを通じてデータにアクセスできると共に、アクセス設備を拡張でき、随時他の電子機器に電力を供給できる無線ホットスポット装置を提供し得るものであるから、本発明は産業上の利用可能性を有するものである。
【符号の説明】
【００３７】
１０                本体
１１                上部筐体
１２                下部筐体
１３                頂壁
１４ａ〜１４ｄ      側壁
１５                ボタン
１６                透光部
１７ａ〜１７ｄ      スルーホール
１８                ハウジング
２０                電池
３０                回路基板
３０１              第１のコネクタ
３０２              ダウントランス
３０３              アップトランス
３０５              第１の制御手段
３０６              切替スイッチ
３０７              第２のコネクタ
３０８              ＬＥＤ表示器
３１０              第２の制御手段
３１０１            接続インターフェース
３１０２            イーサネットインターフェース
３１０３            サーバーモジュール
３１０４            ルータモジュール
３１０５            クラウドストレージ管理モジュール
３１０６            ファイルシステムモジュール
３１０７            セキュア・ソケット・レイヤープロトコルモジュール
３０９              バス
３１１              無線伝送手段
３１１１            アンテナ
３１１２            Ｗｉ−Ｆｉモジュール
３１１３            多入力多出力モジュール
３１１４            無線周波数モジュール
３１１５            メディアアクセス制御モジュール
３１２              イーサネットコネクタ
３１３              コネクタユニット
３１３１            スイッチングハブ
３１３２            コントローラ
３１４              調節器
３１５              第３のコネクタ
３１６              フラッシュメモリ
３１７              ３Ｇ／４Ｇ無線通信ユニット
３１７１            アンテナ
４０                外部電源
４１                被充電装置
４２                外部ストレージデバイス
４３                イーサネット回線
４４                広域通信網
４６、４７          モバイルデバイス
【図１】
2014087049.tif 000003
【図２】
2014087049.tif 000004
【図３】
2014087049.tif 000005
【図４Ａ】
2014087049.tif 000006
【図４Ｂ】
2014087049.tif 000007
【図５】
2014087049.tif 000008
【図６】
2014087049.tif 000009
【図７】
2014087049.tif 000010
【図８】
2014087049.tif 000011
【図９】
2014087049.tif 000012